(57)【特許請求の範囲】
【請求項１】
脱衣室に所在する人の生理量を検出する第１生理量センサと、
浴室に所在する人の生理量を検出する第２生理量センサと、
前記第１生理量センサにより生理量が検出され、且つ前記第２生理量センサにより生理量が検出されていない脱衣室所在状態から、前記第２生理量センサにより生理量が検出され、且つ前記第１生理量センサにより生理量が検出されていない浴室所在状態に切り替わったとき、又は前記浴室所在状態から前記脱衣室所在状態に切り替わったときに、該切り替わった時点の前後の期間において所定周期毎に前記第１生理量センサ又は前記第２生理量センサにより検出された生理量に基づいて、該所定周期毎に、入浴者が異常状態であるか否かを判定する入浴者異常判定部と
を備えたことを特徴とする浴室モニタ装置。
【請求項２】
請求項１に記載の浴室モニタ装置において、
前記入浴者異常判定部は、前記脱衣室所在状態から前記浴室所在状態に切り替わった時点の前後の第１判定期間、又は前記浴室所在状態から前記脱衣室所在状態に切り替わった時点の前後の第２判定期間において、前記第１生理量センサ又は前記第２生理量センサにより所定周期毎に検出された生理量の変動幅が、異常判定値以上となったときに、入浴者が異常状態であると判定することを特徴とする浴室モニタ装置。
【請求項３】
脱衣室に所在する人の生理量を検出する第１生理量センサと、
浴室に所在する人の生理量を検出する第２生理量センサと、
前記第１生理量センサにより生理量が検出され、且つ前記第２生理量センサにより生理量が検出されていない脱衣室所在状態から、前記第２生理量センサにより生理量が検出され、且つ前記第１生理量センサにより生理量が検出されていない浴室所在状態に切り替わったとき、又は前記浴室所在状態から前記脱衣室所在状態に切り替わったときに、該切り替わった時点の前後の期間において前記第１生理量センサ又は前記第２生理量センサにより検出された生理量に基づいて、入浴者の異常を判定する入浴者異常判定部とを備え、
前記入浴者異常判定部は、入浴者が異常状態であると判定したとき、スマートフォン又は携帯電話に入浴者の異常を知らせるデータを送信することを特徴とする浴室モニタ装置。
【発明の詳細な説明】
【技術分野】
【０００１】
本発明は、入浴者の状態をモニタする浴室モニタ装置に関する。
【背景技術】
【０００２】
従来、入浴者の生理量（体温、心拍数、脈拍、呼吸等）を検出するためのセンサを入浴者に取り付け、又は浴室内に設置して、入浴者の生理量が所定の正常範囲内にあるか否かを判断し、生理量が正常範囲外であるときに入浴者に異常が発生したと判定する浴室モニタ装置が提案されている（例えば、特許文献１参照）。
【先行技術文献】
【特許文献】
【０００３】
【特許文献１】特開２００１−２７６１６５号公報
【発明の概要】
【発明が解決しようとする課題】
【０００４】
特許文献１に記載された装置は、センサにより検出された入浴者の生理量が、予め設定された正常範囲内にあるか否かを判断して、入浴者の異常の発生を判定している。しかしながら、生理量の正常範囲には個人差があるため、万人向けの平均的な正常範囲を設定すると、異常の判定精度が低下する場合がある。
【０００５】
本発明はかかる背景に鑑みてなされたものであり、入浴者の異常判定の精度を高めることができる浴室モニタ装置を提供することを目的とする。
【課題を解決するための手段】
【０００６】
本発明の浴室モニタ装置は、
脱衣室に所在する人の生理量を検出する第１生理量センサと、
浴室に所在する人の生理量を検出する第２生理量センサと、
前記第１生理量センサにより生理量が検出され、且つ前記第２生理量センサにより生理量が検出されていない脱衣室所在状態から、前記第２生理量センサにより生理量が検出され、且つ前記第１生理量センサにより生理量が検出されていない浴室所在状態に切り替わったとき、又は前記浴室所在状態から前記脱衣室所在状態に切り替わったときに、該切り替わった時点の前後の期間において前記第１生理量センサ又は前記第２生理量センサにより検出された生理量に基づいて、入浴者の異常を判定する入浴者異常判定部と
を備えたことを基本構成とする。
より具体的には、本発明の浴室モニタ装置は、脱衣室に所在する人の生理量を検出する第１生理量センサと、
浴室に所在する人の生理量を検出する第２生理量センサと、
前記第１生理量センサにより生理量が検出され、且つ前記第２生理量センサにより生理量が検出されていない脱衣室所在状態から、前記第２生理量センサにより生理量が検出され、且つ前記第１生理量センサにより生理量が検出されていない浴室所在状態に切り替わったとき、又は前記浴室所在状態から前記脱衣室所在状態に切り替わったときに、該切り替わった時点の前後の期間において所定周期毎に前記第１生理量センサ又は前記第２生理量センサにより検出された生理量に基づいて、該所定周期毎に、入浴者が異常状態であるか否かを判定する入浴者異常判定部と
を備えたことを特徴とする。
【０００７】
かかる本発明によれば、第１生理量センサにより脱衣室にいる人の生理量（心拍数、呼吸数、血圧等）を検出することができると共に、第２生理量センサにより浴室にいる人の生理量を検出することができる。また、第１生理量センサ及び第２生理量センサによる生理量の検出状況から、脱衣室所在状態（入浴者が脱衣室にいる状態）と浴室所在状態（入浴者が浴室にいる状態）とを区別することができる。
【０００８】
ここで、脱衣室所在状態から浴室所在状態に切り替わったとき、及び浴室所在状態から脱衣室所在状態に切り替わったときには、浴室と脱衣室の温度差により入浴者が身体的ストレスを受けて、入浴者の生理量が急激に変化する状況となる。そして、生理量の急激な変化により入浴者の血管に大きな負担がかかったときに、入浴者に身体的な異常が生じ易い。
【０００９】
そこで、入浴者異常判定部は、脱衣室所在状態から浴室所在状態に切り替わったとき（浴室への入室時）、又は浴室所在状態から脱衣室所在状態に切り替わったとき（浴室からの退室時）に、切り替わった時点の前後の期間において第１生理量センサ又は第２生理量センサにより検出された生理量に基づいて、入浴者の異常を判定する。より具体的には、入浴者異常判定部は、前記切り替わった時点の前後の期間において所定周期毎に前記第１生理量センサ又は前記第２生理量センサにより検出された生理量に基づいて、該所定周期毎に、入浴者が異常状態であるか否かを判定する。これにより、生理量の正常範囲を予め設定することなく、脱衣室から浴室への入室時、及び浴室から脱衣室への退室時における入浴者の異常の発生を精度良く判定することができる。
【００１０】
また、前記入浴者異常判定部は、前記脱衣室所在状態から前記浴室所在状態に切り替わった時点の前後の第１判定期間、又は前記浴室所在状態から前記脱衣室所在状態に切り替わった時点の前後の第２判定期間において、前記第１生理量センサ又は前記第２生理量センサにより検出された生理量の変動幅が、異常判定値以上となったときに、入浴者が異常状態であると判定することを特徴とする。より具体的には、前記入浴者異常判定部は、前記第１判定期間、又は前記第２判定期間において、前記第１生理量センサ又は前記第２生理量センサにより所定周期毎に検出された生理量の変動幅が、異常判定値以上となったときに、入浴者が異常状態であると判定することを特徴とする。
【００１１】
ここで、脱衣室所在状態から浴室所在状態に切り替わった時点（入浴者が脱衣室から浴室に入室したと判断される時点）の前後の第１判定期間、及び浴室所在状態から脱衣室所在状態に切り替わった時点（入浴者が浴室から脱衣室に退室したと判断される時点）の前後の第２判定期間においては、脱衣室と浴室間の温度差を感じて、入浴者の生理量が変化し易い。そして、生理量の正常範囲には個人差があるが、入浴者の生理量が大きく変化したときには、入浴者の異常が生じる可能性が高くなる。
【００１２】
そこで、入浴者異常判定部により、第１判定期間又は第２判定期間において、第１生理量センサ又は第２生理量センサにより検出された生理量（より具体的には、所定周期毎に検出された生理量）の変動幅が異常判定値以上となったときに、入浴者が異常状態であると判定することによって、入浴者の異常又は異常の可能性に対して速やかに対処することが可能になる。
また、本発明の浴室モニタ装置は、前記基本構成に加えて、前記入浴者異常判定部は、入浴者が異常状態であると判定したとき、スマートフォン又は携帯電話に入浴者の異常を知らせるデータを送信するという態様を採用できる。
【図面の簡単な説明】
【００１３】
【図１】浴室モニタ機能を備えた浴室暖房機の説明図。
【図２】浴室暖房機の構成図。
【図３】脱衣室から浴室への入室時、及び浴室から脱衣室への退室時における入浴者の生理量の変化の説明図。図３Ａは心拍数の変化を示し、図３Ｂは血圧の変化を示す。
【図４】脱衣室から浴室への入室時における入浴者異常判定処理のフローチャート。
【図５】浴室から脱衣室への退室時における入浴者異常判定処理のフローチャート。
【発明を実施するための形態】
【００１４】
本発明の実施形態の一例について、図１〜図５を参照して説明する。図１を参照して、本実施形態においては、浴室暖房機１０の機能の一部として本発明の浴室モニタ装置が構成されている。
【００１５】
浴室暖房機１０は、浴室ＢＲの壁面に設置されて浴室ＢＲの空調（暖房、換気、乾燥、送風等）を行う機能を有し、浴室ＢＲに隣接した脱衣室ＤＲの壁面に設置された浴暖リモコン２０により遠隔操作される。なお、浴室暖房機の設置個所は、浴室の天井であってもよい。
【００１６】
浴暖リモコン２０は第１生理量センサ２２を備え、浴室暖房機１０は第２生理量センサ１２を備えている。第１生理量センサ２２及び第２生理量センサ１２は、マイクロ波等により入浴者Ｐの心拍数を非接触で検出する。
【００１７】
そして、浴室暖房機１０に備えられた入浴者異常判定部１４（詳細は後述する）は、第１生理量センサ２２及び第２生理量センサ１２によって検出される入浴者Ｐの心拍数に基づいて、入浴者Ｐの異常を判定する。
【００１８】
なお、入浴者異常判定部１４が、第１生理量センサ２２と第２生理量センサ１２によって検出される入浴者Ｐの異常を判定する構成が、本発明の浴室モニタ装置に相当する。
【００１９】
浴室ＢＲには、浴槽３が設置され、屋外に設置された給湯器１から浴槽３及び図示しない給湯栓に湯が供給される。給湯器１は、浴室ＢＲの壁面に設置された浴室リモコン２によって遠隔操作される。
【００２０】
入浴者Ｐは、脱衣室ＤＲで脱衣をして浴室ドア５から浴室ＢＲに入室し、入浴を終了すると、浴室ドア５を介して浴室ＢＲから退室して浴室ドア５から脱衣室ＤＲに入り、着衣をする。
【００２１】
次に、図２を参照して、浴室暖房機１０は、浴暖リモコン２０との間でリモコンケーブル３０を介して通信を行うリモコン通信回路１１、浴室ＢＲに所在する人の心拍数を検出する第２生理量センサ１２、浴室暖房機１０の全体的な作動を制御する浴室暖房制御部１３、及び屋内に配置された無線ルータ４０を介して通信ネットワーク５０に接続された通信端末６０（スマートフォン、携帯電話等）との間で通信を行う外部通信回路１５を備えている。
【００２２】
浴室暖房制御部１３は、ＣＰＵ、メモリ、各種インターフェース回路等により構成された電子回路ユニットであり、メモリに保持された浴室暖房機１０の制御用プログラムをＣＰＵにより実行することによって、浴室暖房機１０の作動を制御する機能を果たし、入浴者の異常を判定する入浴者異常判定部１４として機能する。
【００２３】
浴暖リモコン２０は、浴室暖房機１０との間でリモコンケーブル３０を介して通信を行うリモコン通信回路２１、脱衣室ＤＲに所在する人の心拍数を検出する第１生理量センサ２２、及び浴暖リモコン２０の全体的な作動を制御する浴暖リモコン制御部２３を備えている。
【００２４】
浴暖リモコン制御部２３は、ＣＰＵ、メモリ、各種インターフェース回路等により構成された電子回路ユニットであり、メモリに保持された浴暖リモコン２０の制御用プログラムをＣＰＵにより実行することによって、浴暖リモコン２０の作動を制御する機能を果たす。
【００２５】
次に、図３Ａは、第１生理量センサ２２と第２生理量センサ１２により検出される入浴者Ｐの心拍指数の推移の例を、縦軸を心拍指数に設定し、横軸を時間に設定して示したものである。ここで、心拍指数は、入浴前の平常時における入浴者Ｐ（被験者）の心拍数を所定回数（４回等）測定してその平均値を１００とし、入浴の際の被験者の心拍数の測定値を平均値１００に対する割合で表した指数である。図３Ａにおいて、Ｎ１は血圧が正常な被験者の群の心拍指数の推移の例を示している。
【００２６】
図３Ａのｔ11は、第１生理量センサ２２により入浴者Ｐの心拍数が検出され、且つ第２生理量センサ１２により入浴者Ｐの心拍数が検出されていない状態（入浴者Ｐが脱衣室ＤＲに所在していると認識される、脱衣室所在状態）から、第２生理量センサ１２により入浴者Ｐの心拍数が検出され、且つ第１生理量センサ２２により入浴者Ｐの心拍数が検出されていない状態（入浴者Ｐが浴室ＢＲに所在していると認識される、浴室所在状態）に切り替わった時点である。また、ｔ14は、浴室所在状態から脱衣室所在状態に切り替わった時点である。
【００２７】
ここで、図１を参照して、入浴者Ｐが脱衣室ＤＲで脱衣をして浴室ＢＲに入室する際には、脱衣の際の身体の上下動、脱衣による身体からの放熱量の増加、脱衣室ＤＲと浴室ＢＲ間の温度差によるヒートショック（急激な温度変化により身体が受ける影響）等により、入浴者Ｐの心拍数が急激に増加する。
【００２８】
また、入浴者Ｐが入浴を終えて、浴室ＢＲから脱衣室ＤＲに退室する際にも、身体に付着した水分の冷却による身体からの放熱量の増加、浴室ＢＲと脱衣室ＤＲ間の温度差によるヒートショック等により、入浴者Ｐの心拍数が急激に増加する。
【００２９】
図３Ａは、このような脱衣室ＤＲから浴室ＢＲへの入室時、及び浴室ＢＲから脱衣室ＤＲへの退室時における入浴者Ｐの心拍数の変動傾向を示したものとなっている。そして、図３Ａが示しているように、脱衣室ＤＲから浴室ＢＲへの入室時点ｔ11の前後の第１判定期間Ｔ１（ｔ10〜ｔ12）において、心拍指数の変動幅ΔＨ１が大きくなっている。
【００３０】
そこで、入浴者異常判定部１４は、第１判定期間Ｔ１における心拍数の変動幅が第１判定値（本発明の異常判定値に相当する）以上であるときに、入浴者Ｐの異常が生じていると判定する。ここで、第１判定値は、治験データ等に基づいて設定される。
【００３１】
また、浴室ＢＲから脱衣室ＤＲへの退室時点ｔ14の前後の第２判定期間Ｔ２（ｔ13〜ｔ15）においても、心拍指数の変動幅ΔＨ２が大きくなっている。
【００３２】
そこで、入浴者異常判定部１４は、第２判定期間Ｔ２における心拍数の変動幅が第２判定値（本発明の異常判定値に相当する）以上であるときに、入浴者Ｐの異常が生じていると判定する。ここで、第２判定値は、治験データ等に基づいて設定される。
【００３３】
次に、図３Ｂは、入浴者の血圧指数の推移の例を、縦軸を血圧指数に設定し、横軸を時間に設定して示したものである。血圧指数は、入浴前の平常時における入浴者Ｐ（被験者）の血圧を所定回数（４回等）測定してその平均値を１００とし、入浴の際の被験者の血圧の測定値を平均値１００に対する割合で示した指数である。図３Ｂにおいて、Ｎ２は血圧が正常な被験者の群の血圧指数の推移の例を示している。
【００３４】
図３Ｂのｔ21は、脱衣室所在状態から浴室所在状態に切り替わった時点である。また、ｔ24は、浴室所在状態から脱衣室所在状態に切り替わった時点である。図３Ｂにおいても、図３Ａに示した心拍指数の推移と同様に、ｔ21の前後の第１判定期間Ｔ１（ｔ20〜ｔ22）において、血圧指数の変動幅ΔＢ１が大きくなっている。また、ｔ24の前後の第２判定期間Ｔ２（ｔ23〜ｔ25）において、血圧指数の変動幅ΔＢ２が大きくなっている。
【００３５】
そのため、第１生理量センサ２２及び第２生理量センサ１２によって入浴者Ｐの血圧を検出し、入浴者異常判定部１４により、第１判定期間Ｔ１（ｔ20〜ｔ22）における入浴者Ｐの血圧の変動幅が第１判定値（本発明の異常判定値に相当する）以上になったとき、及び第２判定期間Ｔ２（ｔ23〜ｔ25）における入浴者Ｐの血圧の変動幅が第２判定値（本発明の異常判定値に相当する）以上になったときに、入浴者Ｐの異常が生じていると判定するようにしてもよい。
【００３６】
次に、図４に示したフローチャートに従って、入浴者異常判定部１４による脱衣室から浴室への入室時における入浴者異常判定処理について説明する。
【００３７】
入浴者異常判定部１４は、ＳＴＥＰ１で所定の制御周期毎に第１生理量センサ２２による心拍数の検出処理を実行し、所定レベル以上の心拍数が検出されたとき（脱衣室ＤＲ内の入浴者Ｐの所在が認識されたとき）にＳＴＥＰ２に進む。
【００３８】
ＳＴＥＰ２〜ＳＴＥＰ３のループにより、入浴者異常判定部１４は、ＳＴＥＰ３で第１生理量センサ２２により検出された心拍数が所定レベル未満になるまで（入浴者Ｐが脱衣室ＤＲから退室したと認識されるまで）、ＳＴＥＰ２で、所定周期毎に第１生理量センサ２２により心拍数を検出してメモリに保持する処理を繰り返し実行する。
【００３９】
ＳＴＥＰ３で、第１生理量センサ２２により検出された心拍数が所定レベル未満になったときにＳＴＥＰ４に進み、入浴者異常判定部１４は、第２生理量センサ１２により検出された心拍数が所定レベル以上になったとき（脱衣室所在状態から浴室所在状態に切り替わったとき、図３Ａのｔ11の時点）にＳＴＥＰ５に進む。
【００４０】
ＳＴＥＰ５で、入浴者異常判定部１４は、第１判定期間Ｔ１（図３Ａのｔ10〜ｔ12）を設定し、第１判定期間Ｔ１が終了するまでの時間（図３Ａのｔ11〜ｔ12）を計時するタイマをスタートさせる。
【００４１】
続くＳＴＥＰ６〜ＳＴＥＰ９のループにより、入浴者異常判定部１４は、ＳＴＥＰ９でタイマがタイムアップするまで、ＳＴＥＰ６で、所定周期毎に第２生理量センサ１２により心拍数を検出してメモリに保持し、ＳＴＥＰ７で、第１判定期間Ｔ１の開始時点から、第１生理量センサ２２又は第２生理量センサ１２により検出された心拍数の変動幅（図３ＡのΔＨ１）を算出し、ＳＴＥＰ８で、心拍数の変動幅が第１判定値以上であるか否かを判断する処理を、繰り返し実行する。
【００４２】
そして、ＳＴＥＰ８で心拍数の変動幅が第１判定値以上になったときに、入浴者異常判定部１４は、入浴者に異常が生じたと判定してＳＴＥＰ２０に分岐し、入浴者異常対応処理を実行する。入浴者異常判定部１４は、入浴者異常対応処理として、浴暖リモコン２０からの報知音の出力、外部通信回路１５による無線ルータ４０及び通信ネットワーク５０を介した、通信端末６０（家族や医療機関の従事者等が所持している）への入浴者Ｐの異常を知らせるデータ（Ｅメール等）の送信等の処理を実行する。
【００４３】
なお、浴室暖房機１０を遠隔操作するための他のリモコンが、台所や居間等に設置されている場合には、入浴者異常対応処理として、他のリモコンから報知音を出力する処理を実行してもよい。
【００４４】
また、ＳＴＥＰ９でタイマがタイムアップしたときには、入浴者異常判定部１４は、入浴者Ｐに異常は生じていないと判定してＳＴＥＰ１０に進み、脱衣室から浴室への入室時における入浴者異常判定処理を終了する。
【００４５】
次に、図５に示したフローチャートに従って、入浴者異常判定部１４による浴室ＢＲから脱衣室ＤＲへの退室時における入浴者異常判定処理について説明する。
【００４６】
入浴者異常判定部１４は、ＳＴＥＰ３１で所定の制御周期毎に第２生理量センサ１２により心拍数の検出処理を実行し、所定レベル以上の心拍数が検出されたとき（浴室ＢＲ内の入浴者Ｐの所在が認識されたとき）にＳＴＥＰ３２に進む。
【００４７】
ＳＴＥＰ３２〜ＳＴＥＰ３３のループにより、入浴者異常判定部１４は、ＳＴＥＰ３３で第２生理量センサ１２により検出された心拍数が所定レベル未満になるまで（入浴者Ｐが浴室ＢＲから退室したと認識されるまで）、ＳＴＥＰ３２で、所定周期毎に第２生理量センサ１２により心拍数を検出してメモリに保持する処理を繰り返し実行する。
【００４８】
ＳＴＥＰ３３で、第２生理量センサ１２により検出された心拍数が所定レベル未満になったときにＳＴＥＰ３４に進み、ＳＴＥＰ３４で第１生理量センサ２２により検出された心拍数が所定レベル以上になったとき（浴室所在状態から脱衣室所在状態に切り替わったとき、図３Ａのｔ14の時点）にＳＴＥＰ３５に進む。
【００４９】
ＳＴＥＰ３５で、入浴者異常判定部１４は、第２判定期間Ｔ２（図３Ａのｔ13〜ｔ15）を設定し、第２判定期間Ｔ２が終了するまでの時間（図３Ａのｔ14〜ｔ15）を計時するタイマをスタートさせる。続くＳＴＥＰ３６〜ＳＴＥＰ３９のループにより、入浴者異常判定部１４は、ＳＴＥＰ３９でタイマがタイムアップするまで、ＳＴＥＰ３６で、所定周期毎に第１生理量センサ２２により心拍数を検出してメモリに保持し、ＳＴＥＰ３７で、第２判定期間Ｔ２の開始時点から、第２生理量センサ１２又は第１生理量センサ２２により検出された心拍数の変動幅（図３ＡのΔＨ２）を算出し、ＳＴＥＰ３８で、心拍数の変動幅が第２判定値以上であるか否かを判断する処理を、繰り返し実行する。
【００５０】
そして、ＳＴＥＰ３８で、心拍数の変動幅が第２判定値以上になったときに、入浴者異常判定部１４は、入浴者Ｐに異常が生じたと判定してＳＴＥＰ５０に分岐し、図４のＳＴＥＰ２０と同様に入浴者異常対応処理を実行する。
【００５１】
また、ＳＴＥＰ３９でタイマがタイムアップしたときには、入浴者異常判定部１４は、入浴者Ｐに異常が生じていないと判定してＳＴＥＰ４０に進み、浴室ＢＲから脱衣室ＤＲへの退室時における入浴者異常判定処理を終了する。
【００５２】
なお、上記実施形態では、入浴者異常判定部１４により、入浴者Ｐが脱衣室ＤＲから浴室ＢＲに入室するとき（脱衣室所在状態から浴室所在状態に切り替わったとき）、及び入浴者Ｐが浴室ＢＲから脱衣室ＤＲに退室するときに（浴室所在状態から脱衣室所在状態に切り替わったとき）に、心拍数の変動幅に基づいて入浴者Ｐの異常を判定したが、いずれか一方のときにのみ、心拍数の変動幅に基づいて入浴者Ｐの異常を判定するようにしてもよい。
【００５３】
また、上記実施形態において、入浴者異常判定部１４は、脱衣室所在状態から浴室所在状態に切り替わったとき、及び浴室所在状態から脱衣室所在状態に切り替わったときに、第１生理量センサ２２又は第２生理量センサ１２により検出された入浴者Ｐの心拍数の変動幅に基づいて入浴者Ｐの異常を判定したが、第１生理量センサ２２又は第２生理量センサ１２により検出された入浴者Ｐの心拍数の入浴者Ｐの心拍数の変化率等、他の判定方法によって入浴者Ｐの異常を判定してもよい。
【００５４】
また、上記実施形態では、第１生理量センサ２２及び第２生理量センサ１２として、心拍数を検出する生理量センサを示したが、図３Ｂで説明した血圧や呼吸数、脈拍等の他の生理量を検出するセンサを用いてもよい。
【符号の説明】
【００５５】
１…給湯器、２…浴室リモコン、３…浴槽、５…浴室ドア、１０…浴室暖房機、１１…リモコン通信回路、１２…第２生理量センサ、１３…浴室暖房制御部、１４…入浴者異常判定部、１５…外部通信回路、２０…浴暖リモコン、２１…リモコン通信回路、２２…第１生理量センサ、２３…浴暖リモコン制御部、３０…リモコンケーブル、４０…無線ルータ、５０…通信ネットワーク、６０…通信端末。
【図１】
0006559561.tif 000002
【図２】
0006559561.tif 000003
【図３】
0006559561.tif 000004
【図４】
0006559561.tif 000005
【図５】
0006559561.tif 000006